(57)【要約】      （修正有）【課題】無線化した通信装置の設置作業が繁雑となることなく、コストを削減することができる降車信号通信装置を提供し、また、良好な通信状態を確保することができる降車信号通信装置を提供する。【解決手段】天井照明５０は、バスの天井に設けられ、夜間に車内を照らすために設けられている。その天井照明５０は箱状の筐体が設けられ、その箱状の内部中央に蛍光灯５１と、その近傍には補助灯５７が備えられている。そして、箱状内部には蛍光灯５１を点灯させるインバータ回路を搭載したインバータ基板５２と、通信装置から発信された信号を受信する受信装置５３が設けられているので、設置作業が容易である。【選択図】図４
0003174507.tif 000002
【実用新案登録請求の範囲】
【請求項１】
車両から乗客が降車する際に、その乗客が降車することを告知したいときの合図として使用する複数の通信装置と、その通信装置から得た信号を受信する受信装置と、当該受信装置からの信号に基づいて前記合図を車内に告知する告知装置と、を備えた降車信号通信装置であって、
車両の天井に設けられ車内を照らす照明装置を備え、
前記受信装置を前記照明装置に併設したことを特徴とする降車信号通信装置。
【請求項２】
前記通信装置と受信装置が無線通信する設定周波数は、前記照明装置を点灯させるのに使用されるインバータ回路を駆動させる駆動周波数を除いた周波数で設定されていることを特徴とする請求項１記載の降車信号通信装置。
【請求項３】
前記駆動周波数は、１７ｋＨｚ乃至１２０ｋＨｚであることを特徴とする請求項２記載の降車信号通信装置。
【請求項４】
前記受信装置と前記照明装置との電源を同一配線で供給する配線手段を備えたことを特徴とする請求項１乃至請求項３のいずれか一項に記載の降車信号通信装置。
【請求項５】
前記インバータ回路を前記照明装置に内蔵したことを特徴とする請求項２に記載の降車信号通信装置。
【請求項６】
前記受信装置からの信号に基づいて前記告知装置による前記合図の告知を制御する制御装置を備える請求項１乃至請求項５のいずれか一項に記載の降車信号通信装置であって、
前記複数の通信装置は、個々に識別可能な識別データをそれぞれ記憶し、
前記制御装置は、前記複数の通信装置に記憶された複数の前記識別データと、前記告知による前記通信装置の使用回数で前記複数の識別データに対応する複数の回数データと、を記憶するとともに、これら複数の前記識別データおよび前記回数データに基づいて前記複数の通信装置ごとの前記使用回数を前記告知装置に出力することを特徴とする降車信号通信装置。
【請求項７】
前記受信装置からの信号に基づいて前記告知装置による前記合図の告知を制御する制御装置を備える請求項１乃至請求項６のいずれか一項に記載の降車信号通信装置であって、
前記通信装置は、前記告知を受け付けたことを前記乗客に視認可能に表示する表示部を備えており、この表示は、前記制御装置、前記受信機または外部からの制御信号によって解除されることを特徴とする降車信号通信装置。
【考案の詳細な説明】
【技術分野】
【０００１】
本考案は、バス等で降車する際に乗客が合図として使用する通信装置と、その通信装置から受信した信号によりバス内の各機器を制御する制御装置との間での通信における降車信号通信装置に関するものである。
【背景技術】
【０００２】
従来からバス等で降車する際に乗客が合図として使用する押し釦スイッチの通信装置とその通信装置から受信した信号によりバス内の各機器を制御する制御装置との間の接続は、配線を敷設した有線が使用されてきたが、これら装置では、バス１台に対して押し釦スイッチを約３０台設置する必要があり、配線を敷設する不便さがあった。そのため、昨今では、これら配線をなくし無線化するような技術が多く見られるようになった。
例えば、特許文献１では、配線を支柱の中に通すことなく赤外線送受信装置を使用して無線化された通信装置が開示されている。
また、特許文献２では電池の交換に関する保守のコストがかかるという問題から、電池の交換を不要とする手段を提供するために、特許文献２に見られるような太陽電池を内蔵し無線化された通信装置が開示されている。
【先行技術文献】
【特許文献】
【０００３】
【特許文献１】特開平１１−１０５６１３号公報（段落〔００１１〕から段落〔００１５〕）
【特許文献２】特開２００４−３５００１９号公報（段落〔００３５〕から段落〔００４１〕）
【考案の開示】
【考案が解決しようとする課題】
【０００４】
しかしながら、無線化するため電波により個々の押し釦スイッチに内蔵されている個別のＩＤ等の情報を親機に送信しなければならず、親機が遠くなればなるほど強い電波を送信しなければならなく、電池が消耗しやすかった。そのため、特許文献１の記載のように押しボタン装置の近くに受信機を取り付ける必要があったが、受信機を送信機の近傍のバスの天井等に装着しなければならず、取付作業が煩雑であったり、設置場所を必要とするなどの問題が発生していた。
また、バス内部では機器が多く、これら配線を含めその機器から発生するノイズにより信号が変化し、良好な信号通信をすることができない場合もあった。
【０００５】
そこで、本考案は、無線化した通信装置の設置作業が繁雑となることなく、コストを削減することができる降車信号通信装置を提供することを目的とし、また、第２の目的としては、良好な通信状態を確保することができる降車信号通信装置を提供することを目的とする。
【課題を解決するための手段】
【０００６】
請求項１記載の降車信号通信装置（１）は、車両から乗客が降車する際に、その乗客が降車することを告知したいときの合図として使用する複数の通信装置（２０）と、その通信装置（２０）から得た信号を受信する受信装置（５３）と、当該受信装置（５３）からの信号に基づいて前記合図を車内に告知する告知装置（３０、３１、案内等の音声（「次止まります」等（これらを以下「３０等」という）））と、を備えた降車信号通信装置（１）であって、車両の天井に設けられ車内を照らす照明装置（５０（蛍光灯、ＬＥＤ、ランプ、冷陰極管ランプ等でもよい。））を備え、前記受信装置（５３）を前記照明装置（５０）に併設したことを特徴とする。
【０００７】
請求項２記載の降車信号通信装置（１）は、前記通信装置（２０）と受信装置（５３）が無線通信する設定周波数は、前記照明装置（５０）を点灯させるのに使用されるインバータ回路を駆動させる駆動周波数を除いた周波数で設定されていることを特徴とする。
【０００８】
請求項３記載の降車信号通信装置（１）は、前記駆動周波数は、１７ｋＨｚ乃至１２０ｋＨｚであることを特徴とする。
【０００９】
請求項４記載の降車信号通信装置（１）は、前記受信装置（５３）と前記照明装置（５０）との電源を同一配線で供給する配線手段（５６）を備えたことを特徴とする。
【００１０】
請求項５記載の降車信号通信装置（１）は、前記インバータ回路（５２）を前記照明装置（５０）に内蔵したことを特徴とする。
【００１１】
請求項６記載の降車信号通信装置（１）は、前記受信装置（５３）からの信号に基づいて前記告知装置（３０等）による前記合図の告知を制御する制御装置（１０）を備える請求項１乃至請求項５のいずれか一項に記載の降車信号通信装置（１）であって、前記複数の通信装置（２０）は、個々に識別可能な識別データをそれぞれ記憶し、前記制御装置（１０）は、前記複数の通信装置（２０）に記憶された複数の前記識別データと、前記告知による前記通信装置の使用回数で前記複数の識別データに対応する複数の回数データと、を記憶するとともに、これら複数の前記識別データおよび前記回数データに基づいて前記複数の通信装置（２０）ごとの前記使用回数を前記告知装置（３０等）に出力することを特徴とする。
【００１２】
請求項７記載の降車信号通信装置（１）は、前記受信装置（５３）からの信号に基づいて前記告知装置（３０等）による前記合図の告知を制御する制御装置（１０）を備える請求項１乃至請求項６のいずれか一項に記載の降車信号通信装置（１）であって、前記通信装置（２０）は、前記告知を受け付けたことを前記乗客に視認可能に表示する表示部（２２）を備えており、この表示は、前記制御装置（１０）、前記受信機（５３）または外部からの制御信号によって解除されることを特徴とする。
【考案の効果】
【００１３】
請求項１記載の降車信号通信装置は、受信装置を照明装置に併設しているので、場所を取ることがなく。また通信装置の近傍に受信装置が配置できるので強い電波でなくても送信が可能であるので、電池の消耗が少なくて済む。
【００１４】
請求項２記載の降車信号通信装置は、通信装置と受信装置が無線通信する設定周波数は、前記照明装置を点灯させるのに使用されるインバータ回路を駆動させる駆動周波数を除いた周波数で設定されているので、通信装置又は受信装置は機器からのノイズによる影響を受けることが少なくなった。
【００１５】
請求項３記載の降車信号通信装置は、駆動周波数は、１７ｋＨｚ乃至１２０ｋＨｚであることから、通信装置と受信装置が無線通信する設定周波数は、インバータを駆動させる周波数帯（１７ｋＨｚ〜１２０ｋＨｚ）を避けて設定されているので、照明装置を点灯させるためにインバータ基板や照明装置等から発せられるノイズにより影響を受けることはない。
【００１６】
請求項４記載の降車信号通信装置は、受信装置と照明装置との電源を同一配線で供給する配線手段を備えたので、配線作業が容易である。
【００１７】
請求項５記載の降車信号通信装置は、インバータ回路を照明装置に内蔵したので、インバータ回路を別の箇所に設けた場合に比較して、インバータ回路から照明装置までの配線が少なくて済むため、インバータ回路による他の機器への影響や引き回すための配線から発生するノイズによる他の機器へ影響を最小限にしながら、通信装置又は受信装置は、ノイズによる影響を受けることを減少させることが可能となった。
【００１８】
請求項６記載の降車信号通信装置は、制御装置が複数の通信装置ごとの使用回数を告知装置に出力するので、例えば、複数の通信装置ごとの電池交換の時期や消耗部品の交換時期等を把握することでき、メンテナンス性を向上させることが可能となった。
【００１９】
請求項７記載の降車信号通信装置は、告知を受け付けたことを乗客に視認可能に表示する表示部を備えており、この表示は、制御装置、受信機または外部からの制御信号によって解除されるので、例えば、満員の際、告知装置による告知がわからない状態にあっても、乗客は、この表示部の表示により告知が受け付けられたか否かを手元で確認することができる。また、受信装置からの制御信号でこの表示が解除されることで、告知部による告知と表示部による表示とを合致させることができる。
【図面の簡単な説明】
【００２０】
【図１】（Ａ）本実施の形態における降車信号通信装置１の全体構成の概要の一例を示す図。（Ｂ）本実施の形態における降車信号通信装置１をバス２に搭載したときの全体構成の概要の一例を示す図。
【図２】本実施の形態における降車信号通信装置１における降車信号制御装置１０の全体構成の一例を示す図である。
【図３】本実施の形態における通信装置２０の全体構成の一例を示す図。
【図４】（Ａ）本実施の形態における天井照明５０におけるの全体構成の一例を示す図。（Ｂ）本実施の形態における天井照明５０におけるの全体構成の別の一例を示す図。
【図５】（Ａ）本実施の形態における降車信号制御装置１０のメモリ部１６に記憶されるデータの一例を示す図。（Ｂ）本実施の形態における通信部２０の記憶部に記憶されるデータの一例を示す図。
【考案を実施するための最良の形態】
【００２１】
以下に、本考案を実施するための最良の形態を図１乃至図５に基づいて説明する。
図１（Ａ）は、本実施の形態における降車信号通信装置１の全体構成の概要の一例を示す図であり、図１（Ｂ）は、本実施の形態における降車信号通信装置１をバス２に搭載したときの全体構成の概要の一例を示す図である。図２は、本実施の形態における降車信号通信装置１における降車信号制御装置１０の全体構成の一例を示す図である。
【００２２】
図１に示すように、降車信号通信装置１は、バス２に搭載され、告知装置としての客先表示灯（表示装置）３０と、運転手へ告知する表示部３１と、降車信号制御装置１０と、電源供給部４０と、通信装置２０と、天井照明５０と、から構成されている。  
後述する通信装置２０は、座ったまま乗客が操作できるようにバス２の椅子の背もたれの後部や、立ったまま乗客が操作できるように、図示しない車内の支柱や壁面等の様々な場所に取り付けられている。
【００２３】
次に、客先表示灯３０は、液晶表示器やＬＥＤ表示器により構成されており、バス２の車内の前方や壁面等に設けられ、乗客から視認しやすい位置に設けられている。また、客先表示灯３０は、降車信号制御装置１０に接続されており、その降車信号制御装置１０から制御信号を受け取り「次止まります」等の表示を行っている。
電源供給部４０は、バス２に搭載されるバッテリーが使用され、降車信号制御装置１０と接続されており、その降車信号制御装置１０に電源を供給している。
【００２４】
図２に見られるように、降車信号制御装置１０は、ＣＰＵが内蔵された中央制御部１１と電源供給部４０と接続された電源入力部１５が設けられている。電源入力部１５は、降車信号制御装置１０の電源を全てまかなっている。
中央制御部１１は、表示部１２と、アナウンス部１３と、中央通信部１４と、制御記憶部としてのメモリ部１６と、設定スイッチ部１７と、外部入出力部１８とに電気的に接続され、外部入出力部１８や中央通信部１４の入力に基づいて各機器（１２、１３、１８）に制御信号を出力している。外部入出力部１８は、天井照明５０からの受信された降車用の信号を通信する通信線５５と接続されている。
【００２５】
表示部１２は、告知装置としての客先表示灯３０に接続され、客先表示灯３０に表示する内容のデータを記憶している。また、表示部１２は、客先表示灯３０を駆動させる電源を供給したり、中央制御部１１の指令に基づいて客先表示灯３０の駆動制御をしている。
アナウンス部１３は、図示しない告知装置としてのスピーカに接続され、音を生成・出力するためのデータを記憶している。
中央通信部１４は、図示しないアンテナに接続され、通信装置２０から送信されてくる無線信号を受信して受信したデータを中央制御部１１に送信している。また、中央制御部１１からの指令によりデータ送信も可能である。
【００２６】
メモリ部１６は、ＥＥＰＲＯＭが使用されており、データの読み書きができるようになっている。図５（Ａ）に示すように、制御記憶部としてのメモリ部１６内には、通信装置２０の個々のＩＤデータとなる識別番号データＤ１と、バス２同士の干渉を防ぐための判別データとしての車番データＤ２と、通信装置２０のボタンが押された回数を記憶する回数データＤ３と、車椅子の乗客が押したのかを判別するためのデータとして一般用データＤ４と車椅子データＤ５が記憶されている。
設定スイッチ１７は、ディップスイッチやローターリースイッチで構成されており、データ（Ｄ１〜Ｄ５）を記憶する際に、外部から書換可能なモードに設定変更を行ったり、降車信号制御装置１０が複数台設置される場合に降車信号制御装置１０自体の識別（ＩＤ）に使用される。
【００２７】
以下に本実施の形態における天井照明５０は図４に基づいて説明する。
図４（Ａ）は、本実施の形態における天井照明５０におけるの全体構成の一例を示す図である。
天井照明５０は、バス２の天井に設けられ、夜間に車内を照らすために設けられている。その天井照明５０は箱状の筐体が設けられ、その箱状の内部中央に蛍光灯５１と、その近傍には補助灯５７が備えられている。そして、箱状内部には蛍光灯５１を点灯させるインバータ回路を搭載したインバータ基板５２と、通信装置２０から発信された信号を受信する受信装置５３が設けられている。
【００２８】
インバータ基板５２と受信装置５３には、バッテリからのＤＣ２４Ｖの電源を供給するための電源配線５６が延設されている。この電源配線５６はインバータ基板５２と受信装置５３とが共通した同一配線で供給されている。また受信装置５３からは通信装置２０から送られたデータや受信装置５３によって加工されたデータ信号を通信線５５を経由して外部入出力部１８に入力する構成となっている。そして、これらを経由して降車信号制御装置１０へデータの授受を行うことができる。そして、天井照明５０は、この電源配線５６や通信線５５を渡り配線により連結されている。
【００２９】
また、受信装置５３は、通信装置２０から信号を受信できるように受信アンテナ５４が筐体内部に設けられている。
図４（Ｂ）には、受信アンテナ５４が筐体外部に設けられたものであり、その他は上述した構成と同じ箇所には同じ番号を付してあり、同じ箇所の説明は省略する。
【００３０】
以下に、本実施の形態における通信装置２０を図３及び図５（Ｂ）に基づいて説明する。図３は、本実施例における通信装置２０の全体構成の一例を示す図であり、図５（Ｂ）は、本実施の形態における通信部２０の記憶部に記憶されるデータの一例を示す図である。
通信装置２０は、矩形状に設けられ、上部には第１の電源としてソーラー発電部２４を設け、また第２の電源部としてリチウム電池の２次電池等が内蔵される。また、矩形状に折り曲がったループ状の通信部となるアンテナ（図示しない）が内蔵されている。
【００３１】
通信装置２０は、押し釦式の釦スイッチ２１が設けられている。また、釦スイッチ２１の上方には、押し釦が押されたときに発光する押し釦表示部２２が設けられ、その隣には押し釦が押されたときに音により報知する音声報知部２３が設けられている。
【００３２】
通信装置２０の内部には図５（Ｂ）に示すように、集積回路の制御によってリードライト可能な図示しない通信記憶部（ＥＥＰＲＯＭ、ＦｅＲＡＭ、ＰＲＯＭ）に、通信装置２０の個々のＩＤデータとなる識別番号データＤ１と、バス２同士の干渉を防ぐために全ての通信装置２０が同一のデータ番号となる車番データＤ２と、車椅子の乗客が押したのかを判別するためのデータとして一般用データＤ４と車椅子データＤ５とが記憶されている。
【００３３】
通信装置２０は、受信装置５３に信号を送信するようになっているが、通信装置２０は機器からのノイズによる影響を避けるために、機器の影響を受けやすい周波数帯を避けて設定されている。特に、蛍光灯５１を点灯させるためにインバータ基板５２や蛍光灯５１等の天井照明から発せられる周波数帯（１７ｋＨｚ〜１２０ｋＨｚ）を避けて通信装置２０が通信するための周波数は設定されている（例えば、３１５ＭＨｚ程度であっても良い）。
【００３４】
（本実施形態から把握される効果）  
以上における本実施形態から把握される効果を以下に詳述する。
（１）本実施形態の降車信号通信装置１は、天井照明５０に受信装置５３を内蔵させているため場所を取ることがなく。また通信装置２０の近傍に受信装置５３が配置できるので強い電波でなくても送信が可能であるので、電池の消耗が少なくて済む。
【００３５】
（２）通信装置２０は、受信装置５３に信号を送信するようになっており、機器の影響を受けやすい周波数帯を避けて設定されている。従って、通信装置２０又は受信装置５３は機器からのノイズによる影響を受けることが少なくなった。
特に、インバータを駆動させる周波数帯（１７ｋＨｚ〜１２０ｋＨｚ）を避けて設定されているので、蛍光灯５１を点灯させるためにインバータ基板５２や蛍光灯５１等の天井照明５０から発せられるノイズにより影響を受けることはない。
【００３６】
（３）本実施形態の降車信号通信装置１は、受信装置５３が、天井照明５０の筐体内部に設けられているので、設置場所を必要としない。
【００３７】
（４）本実施形態の降車信号通信装置１は、受信装置５３の電源と天井照明５０用の電源を同一配線によりを供給しているため、一度に両装置の配線を設置でき配線作業が容易である。
【００３８】
（５）本実施形態の降車信号通信装置１は、識別番号データＤ１を通信装置２０から降車信号制御装置１０の制御記憶部としてのメモリ部１６に記憶する機能を有しているため、個々のボタンが押された回数が識別番号データＤ１毎に、客先表示灯３０や運転席に近傍に設けられた他の表示装置に表示することができるので、電池交換の時期や押し釦スイッチの交換時期等に使用することができ、メンテナンス性が向上する。
【００３９】
（６）本実施形態の降車信号通信装置１は、降車信号制御装置１０と通信装置２０との間には配線が無く、３０台近くある通信装置２０は、設置場所を選ばなく又配線作業を行う必要が無く取付作業も簡単である。
【００４０】
（７）本実施形態の降車信号通信装置１は、ソーラー発電２２９を設けているので、電池交換の必要が無くメンテナンス作業を必要としない。
【００４１】
（８）本実施形態の降車信号通信装置１は、インバータ基板５２を照明装置５０に内蔵したので、インバータ基板５２を別の箇所に設けた場合に比較して、インバータ基板５２から照明装置５０までの配線が少なくて済むため、インバータ基板５２による他の機器への影響や引き回すための配線から発生するノイズによる他の機器へ影響を最小限にしながら、通信装置２０又は受信装置５３は、ノイズによる影響を受けることを減少させることが可能となった。
【００４２】
（他の実施形態への変更例）
以上説明した実施形態を他の実施形態へ変更した例を以下に示す。
・本実施形態の降車信号通信装置１は、バス２に使用したが、ワンマン鉄道、鉄道等の乗客が利用する交通機関に利用ができる。
【００４３】
・本実施形態の押し釦表示部２２は、押した時だけでなく、通信により押されたことを関知した受信装置５３が通信により信号を送信し、乗務員の操作や自動で切り替えられるまで発光するものであっても良い。そうすることにより、満員の際、客先表示灯３０がみれない状態にあっても、押し釦表示部２２の表示が押されたのかどうかを手元で確認することができる。また、無線では消すことが難しい押し釦表示部２２の消灯を自動で受信装置５３からの信号で消灯させることで、客先表示灯３０の表示と合致させることができる。
【００４４】
・本実施形態では、天井照明５０にはグローブが取り付けられているものであってもなくても良い。無線受信できる状態のものであればよい。
【００４５】
・本実施形態では、手で押されている時だけで押し釦表示部２２が点灯、又は音声報知部２３から音が発生することによって、電池が消耗することが少なくなる。
【００４６】
・本実施形態では、車椅子の乗客が釦スイッチ２１を押したか否か判別するのに、一般用データＤ４と車椅子データＤ５とで識別する方法を示したが、識別番号自体で識別しても良い。データの通信が少なくて済み、通信装置２０の電池の消耗度合いが少なくなる。
【符号の説明】
【００４７】
１・・・降車信号通信装置、２・・・バス、
１０・・・降車信号制御装置（親器）、
１１・・・中央制御部、１２・・・表示部、１３・・・アナウンス部、
１４・・・中央通信部、１５・・・電源入力部、１６・・・メモリ部（ＥＥＰＲＯＭ）、
１７・・・設定スイッチ、１８・・・外部入出力部、
２０・・・通信装置、２１・・・釦スイッチ、２２・・・押し釦表示部、
２３・・・音声報知部、２４・・・ソーラー発電部、
３０・・・告知装置としての客先表示灯、
４０・・・電源供給部、
５０・・・天井照明、５１・・・蛍光灯、５２・・・インバータ基板、
５３・・・受信装置、５４・・・受信アンテナ、５５・・・通信線、
５６・・・電源配線、５７・・・補助灯、
Ｄ１・・・識別番号データ、Ｄ２・・・車番データ、
Ｄ３・・・回数データ、Ｄ４・・・一般用データ、Ｄ５・・・車椅子データ。
【図１】
0003174507.tif 000003
【図２】
0003174507.tif 000004
【図３】
0003174507.tif 000005
【図４】
0003174507.tif 000006
【図５】
0003174507.tif 000007